(57)【要約】【課題】配信された電子クーポンについて、対象の店舗での支払いに利用可能なものが複数種類ある場合に、ユーザが可能な限り効果的なクーポンを利用することができるよう支援する。【解決手段】電子的に発行された１つ以上のクーポンを保持する携帯端末１０からなるクーポン管理システム１であって、発行されたクーポンを受領してクーポン保持部１１１に記録する受領部１１０と、決済端末４０から、店舗、購入する商品、および決済金額に係る情報を含む決済情報を取得する決済部１３０と、決済情報に含まれる情報に基づいて、クーポン保持部１１１から利用可能な１つ以上のクーポンを抽出し、抽出した各クーポンを所定の条件に従って順位付けする推奨部１２０とを有し、決済部１３０は、さらに、順位付けされた各クーポンのうち、最上位のもの、もしくは上位の所定の数の各クーポンの中からユーザにより指定されたものを、決済端末４０に送信して利用する。【選択図】図１
2014092864.tif 000002
【特許請求の範囲】
【請求項１】
電子的に発行された１つ以上のクーポンを保持する情報処理端末からなるクーポン管理システムであって、
発行された前記クーポンを受領してクーポン保持部に記録する受領部と、
前記クーポンを利用する店舗における決済端末から、前記店舗、購入する商品、および決済金額に係る情報を含む決済情報を取得する決済部と、
前記決済情報に含まれる、前記店舗、前記商品、および前記決済金額に係る情報に基づいて、前記クーポン保持部から利用可能な１つ以上の前記クーポンを抽出し、抽出した前記各クーポンを所定の条件に従って順位付けする推奨部とを有し、
前記決済部は、
さらに、前記推奨部によって順位付けされた前記各クーポンのうち、最上位のもの、もしくは上位の所定の数の前記各クーポンの中からユーザにより指定されたものを、前記決済端末に送信して利用することを特徴とするクーポン管理システム。
【請求項２】
請求項１に記載のクーポン管理システムにおいて、
前記推奨部が抽出した前記各クーポンを順位付けする際の前記所定の条件は、前記クーポンの有効期限の到来が近いものほど高順位とするものであることを特徴とするクーポン管理システム。
【請求項３】
請求項１に記載のクーポン管理システムにおいて、
前記推奨部が抽出した前記各クーポンを順位付けする際の前記所定の条件は、前記クーポンの割引額が大きいものほど高順位とするものであることを特徴とするクーポン管理システム。
【請求項４】
請求項３に記載のクーポン管理システムにおいて、
前記推奨部は、
前記決済金額が所定の額以上である場合にのみ、割引率によって規定される前記クーポンについて、当該クーポンから算出される割引額を用いて順位付けすることを特徴とするクーポン管理システム。
【請求項５】
請求項１〜４のいずれか１項に記載のクーポン管理システムにおいて、
前記推奨部は、
前記クーポン保持部から利用可能な１つ以上の前記クーポンを抽出する際、組み合わせて利用可能な複数の前記クーポンの組み合わせを取得し、抽出した前記各クーポンおよび取得した前記組み合わせを所定の条件に従って順位付けすることを特徴とするクーポン管理システム。
【請求項６】
請求項１〜５のいずれか１項に記載のクーポン管理システムにおいて、
さらに、購入予定の前記商品についての前記決済情報の入力を受け付け、前記推奨部によって利用可能な１つ以上の前記クーポンについて順位付けを行うシミュレーション部を有することを特徴とするクーポン管理システム。
【請求項７】
請求項１〜６のいずれか１項に記載のクーポン管理システムにおいて、
前記情報処理端末は、発行された前記クーポンを、ネットワークを介して通信可能なクーポン管理サーバに保持し、
前記クーポン管理サーバは、前記情報処理端末において前記クーポンの管理を行う各部のうち少なくとも一部を前記情報処理端末に代わって有し、前記ネットワークを介して前記情報処理端末から利用可能とすることを特徴とするクーポン管理システム。
【請求項８】
電子的に発行された１つ以上のクーポンを保持するクーポン管理システムとしてコンピュータを機能させるクーポン管理プログラムであって、
発行された前記クーポンを受領してクーポン保持部に記録する受領処理と、
前記クーポンを利用する店舗における決済端末から、前記店舗、購入する商品、および決済金額に係る情報を含む決済情報を取得する決済処理と、
前記決済情報に含まれる、前記店舗、前記商品、および前記決済金額に係る情報に基づいて、前記クーポン保持部から利用可能な１つ以上の前記クーポンを抽出し、抽出した前記各クーポンを所定の条件に従って順位付けする推奨処理とを実行させ、
前記決済処理では、
さらに、前記推奨処理によって順位付けされた前記各クーポンのうち、最上位のもの、もしくは上位の所定の数の前記各クーポンの中からユーザにより指定されたものを、前記決済端末に送信して利用することを特徴とするクーポン管理プログラム。
【請求項９】
電子的に発行された１つ以上のクーポンを保持する情報処理端末におけるクーポン管理方法であって、
発行された前記クーポンを受領してクーポン保持部に記録する工程と、
前記クーポンを利用する店舗における決済端末から、前記店舗、購入する商品、および決済金額に係る情報を含む決済情報を取得する工程と、
前記決済情報に含まれる、前記店舗、前記商品、および前記決済金額に係る情報に基づいて、前記クーポン保持部から利用可能な１つ以上の前記クーポンを抽出する工程と、
抽出した前記各クーポンを所定の条件に従って順位付けする工程と、
順位付けされた前記各クーポンのうち、最上位のもの、もしくは上位の所定の数の前記各クーポンの中からユーザにより指定されたものを、前記決済端末に送信して利用する工程とを有することを特徴とするクーポン管理方法。
【発明の詳細な説明】
【技術分野】
【０００１】
本発明は、電子クーポンの技術に関し、特に、ユーザに対して発行された複数の電子クーポンを管理するクーポン管理システム、クーポン管理プログラム、およびクーポン管理方法に適用して有効な技術に関するものである。
【背景技術】
【０００２】
携帯電話やスマートフォン、タブレット型端末などの携帯端末にクーポン券を電子化した電子クーポンを配信し、店舗でこれを提示・利用して割引等のサービスを受けるという仕組みがすでに実現され、様々な企業や店舗等（以下ではこれらを総称して「店舗」と記載する場合がある）が発行する各種の電子クーポン（以下では単に「クーポン」と略記する場合がある）が利用可能となっている。クーポンを発行する店舗は、様々な条件で該当するユーザの携帯端末に対してクーポンを配信・発行し、ユーザは、発行されたクーポンの中から利用可能なものを適宜選択して店舗において利用する。
【０００３】
このようなクーポンの発行や管理に係る技術としては各種のものが提案されているが、例えば、特開２００３−４４７６８号公報（特許文献１）には、ユーザが店舗でキャッシュレスの支払を行ったとき、その情報が決済サーバからクーポン管理サーバへ送られ、決済情報取得部がその情報を取得すると、クーポン発行部は、その店舗が発行している電子クーポンをクーポンファイル保持部から読み出し、ユーザの携帯端末へ送信するとともに、期限管理部は、ユーザに送られた電子クーポンの期限を管理する技術が記載されている。
【０００４】
また、特開２０１１−１９７８８１号公報（特許文献２）には、店舗の情報を含む電子クーポンを携帯端末に送信する機能を備えた送信サーバにおいて、携帯端末によって送信された、携帯端末の現在位置を表す端末位置データを受信し、当該端末位置データと、記憶手段に記憶された店舗位置データとを比較して、携帯端末の現在位置から所定範囲に所在地がある店舗の電子クーポンを抽出し、抽出した電子クーポンの中から、携帯端末に送信するデータを特定電子クーポンとして特定し、当該特定電子クーポンを、端末位置データを送信した携帯端末に送信する技術が記載されている。
【０００５】
また、特開２００２−８３２０１号公報（特許文献３）には、クライアント装置から閲覧商品が指定されると、クーポン決定用プログラムがその商品にヒットするルールをルールデータベースから取りだし、クーポンの推奨スコアを累積し、推奨スコアの累積値が大きな順からクーポンを特定しクーポンデータベースからクーポン情報を取り出して商品情報とともにクライアント装置に表示し、クライアントが商品をカートに入れるとクライアントのクーポン財布に選択したクーポンが入ることでクーポン発行・管理を行う技術が記載されている。
【先行技術文献】
【特許文献】
【０００６】
【特許文献１】特開２００３−４４７６８号公報
【特許文献２】特開２０１１−１９７８８１号公報
【特許文献３】特開２００２−８３２０１号公報
【発明の概要】
【発明が解決しようとする課題】
【０００７】
例えば、ユーザがある店舗で支払いの際にクーポンを利用しようとした場合、当該店舗で利用可能なクーポンが当該ユーザに対して複数種類発行されている場合がある。この場合、特許文献１や２に記載されたような技術では、対象の支払いに対して最も有利であると思われるクーポンをユーザが選択して利用することになる。しかしながら、支払いの際に利用可能なクーポンの中からどれを利用するのが最も効果的かについての判断は、対象の支払いの金額や当該店舗での購買頻度（将来の購買予定）、保持する各クーポンの有効期限などによって異なり得るため一律に決定するのは難しい場合があり、ユーザが選択に迷ったり、効果的ではないクーポンを誤って利用してしまったりといったことが起こり易い。
【０００８】
一方、特許文献３に記載されたような技術では、ユーザが商品をカートに入れると、当該商品に対して推奨されるクーポンの情報を提示することが可能である。しかしながら、商品毎にクーポンを推奨するためのルールを設定する必要がある点で管理が煩雑となることや、電子商取引の際のクーポン利用を対象としており、実店舗での支払い・決済については特に考慮されていないことなどの課題を有する。
【０００９】
そこで本発明の目的は、配信された電子クーポンについて、対象の店舗での支払いに利用可能なものが複数種類ある場合に、ユーザが可能な限り効果的なクーポンを利用することができるよう支援するクーポン管理システム、クーポン管理プログラム、およびクーポン管理方法を提供することにある。
【００１０】
本発明の前記ならびにその他の目的と新規な特徴は、本明細書の記述および添付図面から明らかになるであろう。
【課題を解決するための手段】
【００１１】
本願において開示される発明のうち、代表的なものの概要を簡単に説明すれば、以下のとおりである。
【００１２】
本発明の代表的な実施の形態によるクーポン管理システムは、電子的に発行された１つ以上のクーポンを保持する情報処理端末からなるクーポン管理システムであって、発行された前記クーポンを受領してクーポン保持部に記録する受領部と、前記クーポンを利用する店舗における決済端末から、前記店舗、購入する商品、および決済金額に係る情報を含む決済情報を取得する決済部と、前記決済情報に含まれる、前記店舗、前記商品、および前記決済金額に係る情報に基づいて、前記クーポン保持部から利用可能な１つ以上の前記クーポンを抽出し、抽出した前記各クーポンを所定の条件に従って順位付けする推奨部とを有し、前記決済部は、さらに、前記推奨部によって順位付けされた前記各クーポンのうち、最上位のもの、もしくは上位の所定の数の前記各クーポンの中からユーザにより指定されたものを、前記決済端末に送信して利用することを特徴とするものである。
【００１３】
また、本発明は、コンピュータを上記のようなクーポン管理システムとして動作させるプログラムにも適用することができる。
【発明の効果】
【００１４】
本願において開示される発明のうち、代表的なものによって得られる効果を簡単に説明すれば以下のとおりである。
【００１５】
すなわち、本発明の代表的な実施の形態によれば、配信された電子クーポンについて、対象の店舗での支払いに利用可能なものが複数種類ある場合に、ユーザが可能な限り効果的なクーポンを利用することができるよう支援することが可能となる。
【図面の簡単な説明】
【００１６】
【図１】本発明の一実施の形態であるクーポン管理システムの構成例について概要を示した図である。
【図２】本発明の一実施の形態であるクーポン管理システムの他の構成例について概要を示した図である。
【図３】本発明の一実施の形態におけるクーポン保持部に保持するクーポン情報の構成例について概要を示した図である。
【図４】本発明の一実施の形態における設定情報のデータ構成の例について概要を示した図である。
【図５】本発明の一実施の形態におけるクーポン利用処理の流れの例について概要を示したフローチャートである。
【発明を実施するための形態】
【００１７】
以下、本発明の実施の形態を図面に基づいて詳細に説明する。なお、実施の形態を説明するための全図において、同一部には原則として同一の符号を付し、その繰り返しの説明は省略する。
【００１８】
本発明の一実施の形態であるクーポン管理システムは、ユーザが保有する携帯端末等において、ユーザに対して配信・発行された電子クーポンを保持して管理するとともに、ユーザが店舗で支払い・決済を行う際に、利用可能なクーポンの中から最も効果的なクーポンを選択して利用する、もしくは効果的なクーポンを順位付けして提示し、ユーザが効果的なクーポンを選択できるよう支援するシステムである。また、購入予定の商品等について支払いの際に利用可能な効果的なクーポンをシミュレーションすることも可能である。なお、ここでの効果的なクーポンには、可能な場合には複数の利用可能なクーポンの組み合わせも含む。
【００１９】
ユーザがある店舗で支払いの際にクーポンを利用しようとした場合、当該店舗で対象商品等に対して利用可能なクーポンが当該ユーザに対して複数種類発行されている場合がある。例えば、それぞれ異なる発行条件を有する複数種類のクーポンに対して各発行条件に重複して該当した結果、有効期限や、割引額・割引率などが異なる複数種類のクーポンが発行されている場合がある。この場合、上述したように、従来技術では、対象の決済に対して最も有利であると思われるクーポンをユーザが選択して利用することになる。しかしながら、利用可能なクーポンの中からどれを利用するのが最も効果的かについての判断は、対象の決済金額や当該店舗での購買頻度（将来の購買予定）、保持する各クーポンの有効期限などによって異なり得る。
【００２０】
例えば、複数のクーポンで割引等のサービス内容が同じであれば、有効期限が近いものを先に利用するほうが効果的である。また、割引額ではなく割引率により規定されるクーポンは、可能な限り金額の大きい商品やサービスの購入の際に利用したほうが効果的である。従って、例えば、１０００円の商品を購入する際に、「１００円引き」というクーポンと「１０％引き」というクーポンがあった場合に、いずれを利用したほうが効果的かは、将来の購買予定を考慮して決定するほうが効果的であり（近いうちに２０００円の商品を購入する予定があるのであれば、今回は「１００円引き」のクーポンを利用する）、このような点から、最も効果的なクーポンを一律に決定することが難しい場合がある。
【００２１】
そこで、本実施の形態のクーポン管理システムでは、決済に対して利用可能な各クーポン（およびこれらの可能な組み合わせ）についてそれぞれ割引額を算出した上で、各クーポンを予めユーザによって指定された条件に基づいて順位付けして、最も効果的と考えられるクーポンを選択して利用する、もしくは順位付けされたクーポンの中からユーザにより指定されたクーポンを利用する。これにより、ユーザは簡易な処理によって可能な限り効果的なクーポンを柔軟に選択して利用することが可能となる。
【００２２】
＜システム構成＞
図１は、本発明の一実施の形態であるクーポン管理システムの構成例について概要を示した図である。クーポン管理システム１は、ユーザが保有する携帯端末１０からなり、これが、インターネット等のネットワーク５０を介してクーポン発行サーバ２０および商品管理サーバ３０にアクセス可能な構成を有する。また、ＰＯＳ（Point Of Sale）レジ等の決済端末４０との間で近距離無線通信による情報の授受を行うことができる。
【００２３】
携帯端末１０は、例えば、アプリケーションプログラムを実行することができる携帯電話やスマートフォン、タブレット型端末などの携帯型の情報処理装置であり、クーポン発行サーバ２０により発行されたクーポンを受領して保持・管理する。また、例えば、ＦｅｌｉＣａ（登録商標）等のＮＦＣ（Near Field Communication）準拠の図示しない近距離無線通信機能を有して、店舗での支払い・決済時に、利用可能なクーポンの中から自動もしくは手動で選択したものを決済端末４０に対して提示・送信して利用する。電子マネーやクレジットカード等による決済処理を行ってもよい。
【００２４】
携帯端末１０は、例えば、図示しないＯＳ（Operating System）などのミドルウェア上で動作するソフトウェアプログラムにより実装されるクーポン管理部１００を有し、クーポンの保管や利用に係る処理を行う。当該クーポン管理部１００は、例えば、受領部１１０、推奨部１２０、決済部１３０、シミュレーション部１４０、および入出力部１５０などの各部と、データベースやファイルテーブル等により実装されるクーポン保持部１１１を有する。
【００２５】
受領部１１０は、例えば、クーポン発行サーバ２０により発行されたクーポンに係る情報を受領し、クーポン保持部１１１に記録する機能を有する。クーポン発行サーバ２０から配信されるクーポンの情報を待ち受けるものであってもよいし、定期的にクーポン発行サーバ２０に対して自身に発行されたクーポンの有無を問い合わせるものであってもよい。
【００２６】
推奨部１２０は、例えば、後述する決済部１３０やシミュレーション部１４０等から入力された、購入対象の商品やサービス等（以下では単に「商品」と総称する場合がある）の情報に対して、利用可能なクーポンをクーポン保持部１１１から抽出し、設定情報１２１に予め設定された内容に従って、効果的と考えられる順に順位付けして出力する機能を有する。出力された内容のうち最も効果的と考えられるクーポンを決済部１３０において決済処理に直接利用してもよいし、出力された内容のうち上位の所定の数を後述する入出力部１５０を介して携帯端末１０の画面上に表示し、ユーザから利用するクーポンの指定を受け付けるようにしてもよい。
【００２７】
決済部１３０は、例えば、決済端末４０から店舗情報、および購入商品や金額等の決済に係る情報を取得し、推奨部１２０に渡すことで当該決済に際して効果的に利用可能なクーポン（およびその組み合わせ）を抽出させる機能を有する。また、決済部１３０により決定された最も効果的と考えられるクーポン、もしくは入出力部１５０を介してユーザにより指定されたクーポンの情報を決済端末４０に送信することで決済に利用する機能を有する。
【００２８】
シミュレーション部１４０は、例えば、実際に商品を購入する前に、購入予定の店舗情報、および購入予定の１つ以上の商品とそれぞれの価格の情報の入力を受けて、推奨部１２０に渡すことでこれらの商品を購入する際に効果的に利用可能なクーポン（およびその組み合わせ）を抽出させる機能を有する。抽出されたクーポンの情報は入出力部１５０を介して携帯端末１０の画面上に表示してユーザに提示する。これにより、例えば、同じ店舗で異なるタイミングで複数回商品購入の際の決済が行われるような場合（例えば、フロア毎にレジでの決済が必要な場合など）、どの商品（決済）に対してどのクーポンを使うのが効率的かを事前にある程度把握することができる。
【００２９】
なお、商品や価格の情報の入力は、例えば、入出力部１５０を介してユーザが手動により入力してもよいし、携帯端末１０が有する図示しないカメラ機能およびバーコードリーダー機能により、商品に付されているバーコードを読み取り、商品管理サーバ３０にアクセスして図示しない商品マスタからバーコードに含まれる商品識別情報に対応する商品情報を取得するようにしてもよい。
【００３０】
入出力部１５０は、携帯端末１０が有する画面やキー、タッチパネルなどの入出力デバイスにより、ユーザに対してクーポンの抽出結果等を表示したり、利用するクーポンの指定を受け付けたりする機能を有する。また、シミュレーションの際の商品情報等の入力を受け付けたり、シミュレーション結果を表示したりする機能を有する。
【００３１】
クーポン発行サーバ２０は、例えばクーポンを発行する企業や店舗等により管理・運営され、所定の条件に該当するユーザに対してクーポンを電子的に発行して対応する携帯端末１０に配信する機能を有する。クーポンを発行する基準は様々であり、例えば、週の初めに全ユーザに対してクーポンを送付したり、雨の日や、特定の商品を購入した人に発行するという場合もある。従って、同一ユーザが同一の商品に対して利用可能なクーポンが複数存在するという場合もあり得る。
【００３２】
商品管理サーバ３０は、対象の店舗で販売している各商品について、商品識別情報とその価格の対応を含む、図示しない商品マスタ情報を保持する機能を有する。例えば、一般的な商品の受発注システムや在庫管理システムなどの一部として構成されてもよい。また、クーポン発行サーバ２０と一体として構成されていてもよい。また、これらのサーバは、クラウドコンピューティング環境における仮想サーバにより構成されていてもよい。
【００３３】
決済端末４０は、クーポンを利用可能な店舗等に設置されたＰＯＳレジ等の決済処理を行う装置もしくは端末である。現金や、電子マネー、クレジットカード等による決済を行う機能に加えて、例えば、ＦｅｌｉＣａ（登録商標）等のＮＦＣ準拠の図示しないカードリーダ機能を有し、携帯端末１０との間で近距離無線通信を行なって、決済の内容に係る情報や利用するクーポンの情報などの授受を行うことができる。
【００３４】
なお、図１の例では、クーポン発行サーバ２０と商品管理サーバ３０の組（すなわち、クーポンを発行する企業等）が１つである場合を示しているが、この組が複数種類あってもよい。この場合、携帯端末１０のクーポン管理部１００においていずれのクーポン発行サーバ２０から発行されたクーポンであるかを管理する構成としてもよい。また、この場合、例えば図２に示すように、クーポン発行サーバ２０と商品管理サーバ３０の複数の組を一元的に管理するクーポン管理サーバ６０を設け、ＡＳＰ（    Application Service Provider）として、クーポンの受領や利用状況の管理等を行うＷｅｂサービスを提供する構成としてもよい。
【００３５】
例えば、図１における各携帯端末１０が有するクーポン管理部１００のうち、受領部１１０や推奨部１２０、シミュレーション部１４０などクーポンの内容の管理に係る処理を行う各部の全部もしくは一部を、適宜、図２に示すようにクーポン管理サーバ６０のクーポン管理部６００に集約し、ネットワーク５０経由で携帯端末１０に対してサービスとして提供する構成とすることができる。これにより、携帯端末１０は、クーポン管理部１００の入出力部１５０によりクーポン管理サーバ６０をポータルとしてアクセスするだけで、複数企業等により発行されたクーポンの管理を効率的に行うことが可能となる。なお、クーポン発行サーバ２０と商品管理サーバ３０の組が一つのみである場合も、図２の例に示すようにクーポン管理部１００の機能の一部をクーポン管理サーバ６０に持たせてもよい。
【００３６】
＜データ構成＞
図３は、クーポン保持部１１１に保持するクーポン情報の構成例について概要を示した図である。クーポン情報は、クーポン発行サーバ２０により発行されたクーポンについての属性情報を含み、例えば、クーポンＩＤ、クーポン名称、利用可能店舗、有効期間、割引内容、利用可能タイミング、対象商品、併用可否、およびその他利用条件などの各項目を有する。
【００３７】
クーポンＩＤおよびクーポン名称の項目はそれぞれ、対象のクーポンを一意に識別するＩＤや番号などの識別情報およびその名称やタイトルなどの情報を保持する。利用可能店舗の項目は、対象のクーポンを利用することができる店舗を特定する情報（例えば、店舗コードや名称、位置情報等）を保持する。有効期間の項目は、対象のクーポンを利用することができる期間の情報を保持する。ここでは、例えば、ＦｒｏｍとＴｏの日時により絶対的な期間として特定するが、クーポン上、「発行時から何日（何時間）」というような相対的な期間として指定されている場合は、絶対的な期間に変換して保持する等により統一してもよい。
【００３８】
割引内容の項目は、対象のクーポンにおける割引内容としての割引額もしくは割引率の情報を保持する。クーポンの割引内容が代金の割引ではない場合（例えば、送料無料や別な商品のプレゼントなどの場合）は、これを割引に相当するものとして割引額もしくは割引率に換算して登録する。利用可能タイミングの項目は、有効期間内であっても対象のクーポンを利用可能なタイミングが限定されている場合（例えば、所定の曜日や時間帯しか利用できないなどの場合）は、そのタイミングを特定する情報を保持する。
【００３９】
対象商品の項目は、対象のクーポンを利用可能な商品が限定されている場合は、その商品を特定する商品識別情報等の情報を保持する。併用可否の項目は、対象のクーポンが他のクーポンと併用することが可能か否かの情報を保持する。併用が可能な場合に条件が付される場合には、当該条件の情報を指定可能とする。その他利用条件の項目は、対象のクーポンの利用に際してその他の条件（例えば、３回まで利用可能など）がある場合はその内容を特定可能な情報を保持する。
【００４０】
図４は、設定情報１２１のデータ構成の例について概要を示した図である。設定情報１２１は、クーポン管理部１００の動作、特に、推奨部１２０の動作内容について予めユーザ等により設定された情報を保持するテーブルであり、例えば、推奨機能使用許否、おまかせ機能使用許否、優先条件、割引率利用金額、および推奨数などの各項目を有する。
【００４１】
推奨機能使用許否の項目は、クーポンを利用する際に、推奨部１２０による効果的なクーポンの推奨機能の使用を許可するか否かを示す情報を保持する。当該項目の値が「許可」であることを示す場合は、推奨部１２０による推奨機能を利用して、推奨されるクーポンの候補の中から決済に利用するクーポンを自動もしくは手動により指定する。当該項目の値が「拒否」であることを示す場合は、推奨部１２０は、単に決済の際に利用可能なクーポン一覧をクーポン保持部１１１から抽出してそのまま入出力部１５０を介して画面上に表示する。この中からユーザが決済に利用するクーポンを独自に選択・指定することになる。
【００４２】
おまかせ機能使用拒否の項目は、決済の際に推奨部１２０による効果的なクーポンの推奨機能を使用する場合、推奨部１２０によって抽出された最も効果的と考えられるクーポンを自動的にそのまま決済に利用する機能（おまかせ機能）の使用を許可するか否かを示す情報を保持する。当該項目の値が「許可」であることを示す場合は、推奨部１２０によって抽出された最も効果的と考えられるクーポンを決済の際にそのまま利用する。当該項目の値が「拒否」であることを示す場合は、推奨部１２０の推奨機能により順位付けして抽出されたクーポンのうち上位の所定の数（後述する推奨数）を入出力部１５０により携帯端末１０の画面上に表示し、ユーザにより実際に利用するクーポンを選択させる。
【００４３】
優先条件の項目は、利用可能なクーポンに対して順位付けする際に、有効期限と割引額（割引率）のいずれを優先するのかの情報を保持する。例えば、有効期限を優先させるとした場合、利用可能なクーポンについて有効期限の満了が近いものほど高順位となり、満了が同じタイミングのものについては割引額（割引率）が大きいものほど高順位となる。
【００４４】
割引率利用金額の項目は、割引率によって規定されたクーポンを利用する下限の決済金額の情報を保持する。すなわち、決済金額が当該金額未満の場合は割引率によって規定されたクーポンを利用せず、当該金額以上の高額の場合にのみ利用するよう限定することで、割引率で規定されたクーポンをより効果的な場面で利用できるように温存することが容易となる。推奨数の項目は、推奨部１２０の推奨機能により順位付けして抽出されたクーポンを入出力部１５０により携帯端末１０の画面上に一度に表示する際の個数の上限値の情報を保持する。
【００４５】
なお、上述の図３、図４で示した各テーブルのデータ構成（項目）はあくまで一例であり、同様のデータを保持・管理することが可能な構成であれば、他のテーブル構成やデータ構成であってもよい。
【００４６】
＜処理の流れ＞
図５は、クーポン管理部１００におけるクーポン利用処理の流れの例について概要を示したフローチャートである。この処理の前に、既にクーポン管理部１００の受領部１１０により１つ以上のクーポンを受領してクーポン保持部１１１に記録しているものとする。携帯端末１０のクーポン管理部１００は、処理を開始すると、まず、推奨部１２０により設定情報１２１の設定内容を読み込む（Ｓ０１）。読み込んだ情報は、例えば、メモリテーブル等に展開しておく。
【００４７】
次に、決済部１３０により、決済端末４０から近距離無線通信等を介して購入対象の商品および決済金額の情報を取得する（Ｓ０２）。対象の店舗の情報については、決済端末４０から取得してもよいし、入出力部１５０を介してユーザからの入力により取得してもよい。なお、シミュレーション部１４０によるシミュレーションの場合は、これらの情報は入出力部１５０を介してユーザからの入力により取得する。
【００４８】
次に、推奨部１２０は、対象の店舗、商品、日時等のタイミングなどの条件に従って、クーポン保持部１１１から利用可能なクーポンの情報を抽出する（Ｓ０３）。さらに、利用可能な各クーポンについて組み合わせて利用することが可能なものがある場合には、その組み合わせのパターンを抽出する（Ｓ０４）。
【００４９】
その後、設定情報１２１の推奨機能使用許否の項目において推奨機能の使用が許可されているか否かを確認する（Ｓ０５）。推奨機能の使用が拒否されている場合は、ステップＳ０３、Ｓ０４で抽出した利用可能なクーポン（もしくはクーポンの組み合わせ）を入出力部１５０を介して携帯端末１０の画面上に表示することでユーザに提示し（Ｓ０６）、ステップＳ１２に進む。
【００５０】
ステップＳ０５で推奨機能の使用が許可されている場合は、ステップＳ０３、Ｓ０４で抽出した利用可能なクーポンおよび組み合わせのそれぞれについて割引額を算出する（Ｓ０７）。その後、設定情報１２１の優先条件の項目に設定された条件に基づいて、各クーポンおよび組み合わせを順位付けする（Ｓ０８）。
【００５１】
上述したように、例えば、有効期限を優先させるよう設定されている場合、利用可能なクーポンおよび組み合わせについて有効期限（組み合わせの場合は最も早く到来するもの）の満了が近いものほど高順位となり、満了が同じタイミングのものについては割引額（組み合わせの場合は合計）が大きいものほど高順位となる。一方、割引額を優先させるよう設定されている場合、割引額が大きいものほど高順位となり、割引額が同じものについては有効期限の満了が近いものほど高順位となる。また、決済金額が設定情報１２１の割引率利用金額以上である場合は、割引率により規定されているクーポンについても考慮に入れる。
【００５２】
その後、設定情報１２１のおまかせ機能使用許否の項目においておまかせ機能（自動での利用クーポン決定）の使用が許可されているか否かを確認する（Ｓ０９）。おまかせ機能の使用が許可されている場合は、ステップＳ０８で取得した順位付けされたクーポンのうち最上位のものを取得して、当該クーポンが自動的に指定されたものとし（Ｓ１０）、ステップＳ１３に進む。
【００５３】
ステップＳ０９でおまかせ機能の使用が拒否されている場合は、ステップＳ０８で取得した順位付けされたクーポンのうち、上位から設定情報１２１の推奨数の項目の値の数分のクーポンの情報を抽出し、入出力部１５０を介して携帯端末１０の画面上に表示することでユーザに提示する（Ｓ１１）。その後、ステップＳ０６もしくはステップＳ１１により画面上に提示したクーポンのうち決済に利用するものの指定をユーザから受け付ける（Ｓ１２）。最後に、ステップＳ１０もしくはステップＳ１２で指定されたクーポンを利用して決済を行う（Ｓ１３）。ここでは、上述したように、例えば、指定されたクーポンの情報を決済端末４０に対して送信して決済内容に反映させることができる。さらに、携帯端末１０に保持する電子マネーやクレジットカード決済機能等を利用した電子的な決済処理を行ってもよい。
【００５４】
なお、シミュレーション部１４０によるシミュレーションの場合は、例えば、ステップＳ１０もしくはＳ１２の後、ここで指定されたクーポンを利用したものと仮定して、再度ステップＳ０２に戻って一連の処理を繰り返すことで、同一店舗で継続して他の商品を購入する場合の全体でのシミュレーションを実行することができる。
【００５５】
以上に説明したように、本発明の一実施の形態であるクーポン管理システムによれば、ユーザが保有する携帯端末１０において、ユーザに対して配信・発行された電子クーポンを保持して管理するとともに、ユーザが店舗で支払い・決済を行う際に、利用可能なクーポンの中から最も効果的と考えられるクーポン（およびその組み合わせ）を選択して利用する、もしくは効果的と考えられるクーポンを順位付けして提示し、ユーザが効果的なクーポンを選択可能とすることができる。また、購入予定の商品について支払いの際に利用可能な効果的なクーポンをシミュレーションすることも可能となる。これらにより、ユーザは簡易な処理によって可能な限り効果的なクーポンを柔軟に利用することが可能となる。
【００５６】
以上、本発明者によってなされた発明を実施の形態に基づき具体的に説明したが、本発明は上記の実施の形態に限定されるものではなく、その要旨を逸脱しない範囲で種々変更可能であることはいうまでもない。例えば、上記の実施の形態は本発明を分かりやすく説明するために詳細に説明したものであり、必ずしも説明した全ての構成を備えるものに限定されるものではない。また、上記の実施の形態の構成の一部について、他の構成の追加・削除・置換をすることが可能である。
【００５７】
例えば、上記の実施の形態では、携帯端末１０に保持するクーポンを実店舗において利用する場合を例として説明しているが、Ｗｅｂアプリケーションによる電子商取引の際に利用可能なクーポンに対しても適用することも可能である。
【００５８】
また、上記の各構成、機能、処理部、処理手段等は、それらの一部または全部を、例えば、集積回路で設計する等によりハードウェアで実現してもよい。また、各機能を実現するプログラム、テーブル、ファイル等の情報は、メモリやハードディスク、ＳＳＤ（Solid State Drive）等の記録装置、またはＩＣカード、ＳＤカード、ＤＶＤ等の記録媒体に置くことができる。
【産業上の利用可能性】
【００５９】
本発明は、ユーザに対して発行された複数の電子クーポンを管理するクーポン管理システム、クーポン管理プログラム、およびクーポン管理方法に利用可能である。
【符号の説明】
【００６０】
１…クーポン管理システム、
１０…携帯端末、２０…クーポン発行サーバ、３０…商品管理サーバ、４０…決済端末、５０…ネットワーク、６０…クーポン管理サーバ、
１００…クーポン管理部、１１０…受領部、１１１…クーポン保持部、１２０…推奨部、１２１…設定情報、１３０…決済部、１４０…シミュレーション部、１５０…入出力部、
６００…クーポン管理部、６１０…受領部、６１１…クーポン保持部、６２０…推奨部、６２１…設定情報、６４０…シミュレーション部。
【図１】
2014092864.tif 000003
【図２】
2014092864.tif 000004
【図３】
2014092864.tif 000005
【図４】
2014092864.tif 000006
【図５】
2014092864.tif 000007